(57)【要約】【課題】保存保管時の色調の経時変化が小さく、かつ、使用感にも優れ、原料臭も少ない固形石鹸組成物を提供する。【解決手段】桑の葉の乾燥粉砕物を含有することを特徴とする固形石鹸組成物。【選択図】なし【特許請求の範囲】
【請求項１】
桑の葉の乾燥粉砕物を含有することを特徴とする固形石鹸組成物。
【請求項２】
桑の葉の乾燥粉砕物を０．０５〜１０質量％含有する請求項１記載の固形石鹸組成物。
【請求項３】
桑の葉の乾燥粉砕物を有効成分とすることを特徴とする着色剤。
【発明の詳細な説明】
【技術分野】
【０００１】
本発明は、固形石鹸組成物及び着色剤に関する。
【背景技術】
【０００２】
固形石鹸組成物は従来、牛脂、パーム油、ヤシ油等の混合油脂をアルカリ剤（苛性ソーダ等）と反応させるか、あるいは牛脂、パーム油、ヤシ油等を分解して得られる混合脂肪酸をアルカリ剤と反応して得られる石鹸素地に、添加成分として香料、安定化剤等のほか顔料を配合して製造されている。
【０００３】
このような固形石鹸組成物に植物由来の有効成分を配合することで、保湿性を付与する方法が知られている。例えば、特許文献１には、クロレラ粉末を含有するものが開示されている。更には、植物由来の成分により、自然に着色された、意匠性の高い固形石鹸を得ることも期待されている。しかしながら、このような植物由来の成分は、経時的に色調が変化してしまうという問題があった。
【０００４】
特許文献２には、特定のルチル型二酸化チタンを配合し、色調の変化を低減した固形石鹸が開示されている。しかしながら、これは白色石鹸の白色度に限定されたものであって、着色された固形石鹸を対象としたものではなかった。
【０００５】
また、有効成分として桑の葉の抽出物を配合した固形石鹸も知られている（特許文献３）。しかしながら、この場合は桑の葉を水等で抽出することによって得られた抽出物を使用することが記載されているのみであり、桑の葉の乾燥粉砕物をそのまま使用することについては記載されていない。
【先行技術文献】
【特許文献】
【０００６】
【特許文献１】特開特開２００３−２３８９９３号公報
【特許文献２】特開平８−２０７９８号公報
【特許文献３】特開２０１３−１３９５７０号公報
【発明の概要】
【発明が解決しようとする課題】
【０００７】
本発明の目的は、保存保管時の色調の経時変化が小さく、かつ、使用感にも優れ、原料臭も少ない固形石鹸組成物を提供することにある。
【課題を解決するための手段】
【０００８】
本発明は、桑の葉の乾燥粉砕物を含有することを特徴とする固形石鹸組成物に関する。
上記固形石鹸組成物は、上記桑の葉の乾燥粉砕物を０．０５〜１０質量％含有することが好ましい。
本発明は、桑の葉の乾燥粉砕物を有効成分とする着色剤でもある。
【発明の効果】
【０００９】
本発明は、桑の葉の乾燥粉砕物を配合することにより、人工色素を必要とせず、色調が経時的に安定し、かつ、優れた使用感が得られる固形石鹸組成物を得ることができるものである。また、天然物由来の着色剤は、原料に起因する原料臭を有するという問題を有することが多い。しかし、桑の葉の乾燥粉砕物においては、原料臭が少ないという点でも好ましいものである。
【発明を実施するための形態】
【００１０】
本発明は、桑の葉の乾燥粉砕物を含有する固形石鹸組成物に関するものである。更に詳しくは、桑の葉の乾燥粉砕物を固形石鹸に配合することで、色調変化を低減し得ることを見出すことによって完成されたものである。理由は不明であるが、その他の植物性成分由来の緑色着色剤に比べ、本発明の桑の葉の乾燥粉砕物は、特に、安定性に優れているため、変色を生じにくいという利点を有するものである。更に、塩基性である石鹸素地や化学的な活性を有する香料成分等と併用して使用された場合であっても、変色を生じることなく長期間使用することができる。更に、原料臭をほとんど生じない、という利点も有する。
【００１１】
上述した特許文献３に記載されたような桑の葉の抽出物は、桑の葉中に含まれる各種物質が有する生理活性等によって化粧料としての機能を期待するものである。よって、このような生理活性を有する物質を精製・分離し、これを使用するものである。しかし、本願発明においては、基本的には桑の葉の成分の分離精製を行うことなく使用する。
【００１２】
桑の葉の乾燥粉砕物は、色調の経時変化が小さく、非常に安定した着色剤として使用することもできるものである。本発明の固形石鹸組成物は、このような桑の葉の乾燥粉砕物が有する特異的な性能を利用することで、各種効果を得るものである。
【００１３】
本発明において、「桑」とは、クワ科（Ｍｏｒａｃｅａｅ）クワ属（Ｍｏｒｕｓ）に属する植物の総称である。本発明は、このような属に属しており、通常「桑」と呼ばれる植物を使用することができ、具体的な種や品種を特に限定されるものではない。具体的には、例えば、カラヤマグワ（Ｍｏｒｕｓ  ａｌｂａ）、ログワ（Ｍｏｒｕｓ  Ｉｈｏｕ）、ヤマグワ（Ｍｏｒｕｓ  ｂｏｍｂｙｃｉｓ）、ナガミグワ（Ｍｏｒｕｓ  ｌａｅｖｉｇｅｔａ）、ケグワ（Ｍｏｒｕｓ  ｔｉｌｉａｅｆｏｌｉａ）等を挙げることができる。また、桑の品種としては、特に限定されるものではないが、例えば、改良ねずみ返し、一ノ瀬、新一ノ瀬、ねずみ返し（これらは、カラヤマグワに該当する）等の品種を挙げることができる。
【００１４】
なお、本発明において「桑の葉」とは葉柄、茎、枝等も含むものである。
本発明においては、「桑の葉」を傷つけたときに、葉脈（葉柄）から染み出てくる乳液中に有効成分が含まれていると推測されている。このため、このような乳液が含まれている部位を「桑の葉」とするものである。
【００１５】
上記桑の葉の乾燥粉砕物としては特に限定されず、通常の乾燥方法及び粉砕方法を組み合わせて得られるものを使用することができる。例えば、桑の葉を乾燥させたものを粉砕したものであっても、桑の葉の粉砕物を乾燥したものであってもよい。また、必要に応じて熱処理したものであってもよい。
【００１６】
上記桑の葉の乾燥粉砕物は、使用目的により異なるが、粒径が１ｍｍ以下であることが好ましい。例えば、ＩＳＯ  ６１０６：２００５粒度分布規定に準じ、１８メッシュ（目開１０００μｍアズワン製金属製メッシュ）のものをパスしたものを使用することができる。
【００１７】
上記桑の葉の乾燥粉砕物は、必要に応じて、においや色等の問題を低減できる程度に、揮発成分の除去や着色成分の除去等の処理を行ったものであってもよい。このような脱臭、着色成分の除去の方法は特に限定されず、公知の任意の方法によって行うことができる。
【００１８】
上記桑の葉の乾燥粉砕物としては市販のものを使用することもできる。特に限定はされないが、例えば、桑の葉粉末（Ｍ・Ｒ・Ｃフーズ製、例えば、ふるさと更木興社）等を挙げることができる。
【００１９】
上記桑の葉の乾燥粉砕物は、固形石鹸組成物１００質量％中において、０．０５質量％以上、１０質量以下であることが好ましい。０．０５質量％未満であると、充分な保湿効果、美肌効果、着色効果を得ることができないおそれがある。
１０％以上にするとコスト的な面並びに製造時する際の生産性特に型離れ並びに成型性に劣る。
【００２０】
上記桑の葉の乾燥粉砕物は高い保湿性、美肌性を有するものであるため、本発明の固形石鹸組成物も高い保湿性、美肌性を有するものである。また、上記桑の葉の乾燥粉砕物は、着色効果を有するものである。この着色効果により、人工色素を使用することなく、自然に着色された肌に優しい固形石鹸を得ることができる。更に、上記桑の葉の乾燥粉砕物は、厳しい温度条件下においても色調の変化が小さく、経時安定性に優れた着色剤としても有用なものである。したがって、本発明の固形石鹸組成物は、経時的に安定した色調を保つことができるものである。
【００２１】
本発明の固形石鹸組成物は、石鹸素地を有するものである。当該石鹸素地は、通常のものを使用することができる。牛脂・豚脂・鯨脂・魚脂などに代表される動物性油脂、ヤシ油・パーム油・パーム核油・大豆油・オリーブ油・綿実油等に代表される植物性油脂等の単独物または混合物をアルカリ等でけん化するか、あるいは種々の脂肪酸や樹脂酸をアルカリ等で中和することによって製造した石鹸素地を使用することができる。
【００２２】
また、本発明の固形石鹸組成物は、香料を配合するものであってもよい。香料は固形石鹸組成物において、広く使用される成分であるが、それ自体の化学的性質によって、着色成分に対して影響を与え、変色の原因となる場合もあるものである。本発明の固形石鹸組成物においては、香料を併用した場合でも、色調の変化を生じにくい、という利点も有する。
【００２３】
本発明の固形石鹸組成物は、香料を配合する場合、その配合量は特に限定されるものではないが、０．１〜１．５重量％とすることが好ましい。
【００２４】
本発明の固形石鹸組成物は、その他、ヒドロキシエタンジホスホン酸、アルカリ金属塩等の安定剤、ＥＤＴＡ−４Ｎａ、エチドロン酸４Ｎａなどのキレート剤等の成分のその他の成分を更に含有するものであってもよい。この場合、安定剤の配合量は、０．０５〜１重量％であることが好ましく、キレート剤の配合量は、０．０１〜２重量％であることが好ましい。
【００２５】
更に、本発明の桑の葉の乾燥粉砕物以外の着色剤を併用して使用するものであってもよい。すなわち、緑色の色調を調整する目的等で、上述した方法をとってもよい。また、クロロフィルを更に含有するものであってもよい。クロロフィルは、葉緑素とも言われ、緑色の化合物でもある。桑の葉が緑色を呈しているのも、クロロフィルによるものである。このような桑の葉由来のクロロフィルに加えて、更に、クロロフィルを追加して使用するものであってもよい。
クロロフィルの配合量は、０．０１〜２．０重量％であることが好ましい。
【００２６】
本発明の組成物の洗浄力を更に高めるために、石鹸素地以外に他の界面活性剤を添加することもできる。そのような界面活性剤としては、例えばα−スルホ脂肪酸エステル、イセチオン酸エステル、アルコール硫酸エステル、アルコールエトキシレートの硫酸エステル、オレフィンスルホン酸、Ｎ−アシルグルタミン酸およびそれらエステルや塩類からなるアニオン性界面活性剤、さらにはアルキルベタイン、アルキルスルホベタインなど両性界面活性剤などが挙げられる。
【００２７】
本発明の固形石鹸組成物には、必要に応じて上記以外の各種成分を配合できる。そのようなものとしては、スクワラン、オレフィンオリゴマー、ワックス、ワセリン、その他の鉱油などの炭化水素、ステアリン酸、イソステアリン酸、オレイン酸、リシノール酸、パルミチン酸、ミリスチン酸、ベヘン酸などの脂肪酸、各種グリセリド、シュガーエステル、ラノリン、イソプロピルミリステート、イソプロピルパルミテートなどの脂肪酸エステル、グリセリン、ポリエチレングリコール、ポリプロピレングリコール等のポリオール類、アルコールや脂肪酸のエトキシレート、ジメチルシリコーン等のシリコーン類、その他各種の蛋白及び蛋白誘導体、ビタミン類、色素、顔料、アラントインやグリチルリチン酸ジカリウム等の消炎剤、２，４，４’−トリクロロ−２’−ヒドロキシジフェニルエーテルや３，４，４’−トリクロロカルバニリド（ＴＣＣ）や安息香酸塩などの殺菌剤等が挙げられる。
【００２８】
上述した本発明の固形石鹸組成物は、その製造方法を特に限定されるものではない。例えば、公知の石鹸素地に対し、通常の方法によって桑の葉の乾燥粉砕物と、香料等のその他の併用成分と混合することにより本発明の固形石鹸組成物を製造する方法が挙げられる。
【００２９】
本発明は、上述した桑の葉の乾燥粉砕物を有効成分とする着色剤でもある。このような着色剤は、塩基性条件下で使用したり、その他の成分と併用したりして使用した場合であっても、変色を生じにくいという利点を有するものである。このような着色剤は化粧品等の分野において広く使用することができる。
更には、食品等のその他の用途に対しても着色剤として配合することもできる。原料臭が少ないという点は、食品分野での使用においても好ましい点である。
【実施例】
【００３０】
以下に、実施例を示して本発明を更に説明するが、本発明はこれらに限定されるものではない。なお、配合量はすべて質量％を表す。
【００３１】
（桑の葉の乾燥粉砕物の製造）
生の桑の葉（カラヤマグワ；学名Morus alba）２０ｋｇを気流粉砕機（ミクロパウテック社製エアータグミル）を用いて、桑の葉粉砕物（以下桑葉粉末Ａ）３ｋｇを得た（水分量３．５％、中心粒径６０μｍ）。
【００３２】
（桑の葉熱処理物の製造）
生の桑の葉（カラヤマグワ；学名Morus alba）２０ｋｇを洗浄、粉砕し、ドラムに入れ、９０℃の熱風乾燥機で乾燥させ、桑の葉粉砕物（以下桑葉粉末Ｂ）２ｋｇを得た。
【００３３】
実施例１〜２比較例１〜３
粉末状固形石鹸組成物の製造
桑葉粉末Ａ、桑葉粉末Ｂ、比較例としてチャ葉（ビュア・グリーン（株））、モロヘイヤ（皇漢薬品研究所）、桑葉抽出エキス末（（株）常盤植物化学研究所製）それぞれ３質量％配合することによって、固形石鹸を得た。得られた固形石鹸は、製造直後の段階では、いずれも植物素材の色に基づく緑色〜茶色を有していた。
【００３４】
【表１】
2017190367.tif 000002
【００３５】
（効能試験）
得られた各固形石鹸について、５℃、５０℃においてアルミ包装にて保管し、試験開始時、１か月、6か月後にそれぞれ、Ｌａｂ系色空間による色の測定を行った。これらの実測値について、Ｌ，ａ、ｂそれぞれ、試験開始時の測定結果との差をΔL*、Δa*、Δb*として算出した。
そして、これらの値に基づいて、
ΔE*ab＝〔(ΔL*)2＋(Δa*)2＋(Δb*)2〕1/2
を算出した。
【００３６】
【表２】
2017190367.tif 000003
【００３７】
また、当該ΔＥ＊ａｂ（５℃）、ΔＥ＊ａｂ（５０℃）について、それぞれ、
１〜５        〇
５〜７        △
７以上        ×
の基準で評価を行った。
【００３８】
更に、１カ月５０℃保管後のサンプル、６カ月５０℃保管後のサンプルについて、匂いの専門家２名に評価してもらい匂いを以下の基準で評価を行った。
原料臭がしない            〇
原料臭がする              △
原料臭がひどくする        ×
以上の結果を表３、表４に示す。表３は一か月後の測定結果を示し、表４は6か月後の測定結果を示す。
【００３９】
【表３】
2017190367.tif 000004
【００４０】
【表４】
2017190367.tif 000005
【００４１】
桑の葉開始時の５℃、５０℃の色の変化及び香りの変化の評価により、桑の葉粉砕物及び熱処理品は他の植物粉砕物、桑葉抽出エキス末よりも優れていることが明らかである。
【００４２】
これらの結果から、本発明の固形石鹸組成物は、着色の変化が少なく、この点で非常に好ましいものであることが明らかである。更に、本発明の桑の葉の乾燥粉砕物は、良好な性能を有する着色剤であることも明らかである。
【００４３】
実施例１〜２の固形石鹸は、室温で６か月保管した後も、色調の変化が少なく、良好な状態を維持することができた。これに対して、比較例１〜２の固形石鹸は、室温で６か月保管した後に色調の変化を生じた。更に、本発明の固形石鹸は、原料臭が少ない点でも好ましい。
【産業上の利用可能性】
【００４４】
本発明により、経時的に色調が安定し、かつ、使用性に優れ、原料臭も少ない肌に優しい固形石鹸組成物及び着色剤を提供することができる。